(57)【特許請求の範囲】
【請求項１】
指示計器を収納する合成樹脂製の下側ケースと、その下側ケースの前面開口部に配置され前記指示計器を覆う透視可能な透視板を備えた合成樹脂製の上側ケースと、前記下側ケースもしくは前記上側ケースの少なくとも一方のケースから一体に突出して設けられた取付腕片と、を備えてなる計器装置において、前記取付腕片の横断面が立ち上がり壁と底壁とによる連続した矩形状からなることを特徴とする計器装置。
【請求項２】
前記取付腕片の長手方向に沿ってそれぞれが隣り合う前記立ち上がり壁同士との間隔が漸次異なるようにそれぞれ抜き勾配を設けて形成してなることを特徴とする請求項１に記載の計器装置。
【請求項３】
前記立ち上がり壁部と前記底壁部の肉厚寸法を同等に成形してなることを特徴とする請求項１または請求項２に記載の計器装置。
【発明の詳細な説明】
【技術分野】
【０００１】
本発明は、例えば車両などに搭載される計器装置の取付構造に関するものである。
【背景技術】
【０００２】
従来の計器装置として、例えば、特許文献１などに開示されるものが知られている。この計器装置は、表示板が前面側に設けられた指示計器と、その指示計器を収納する合成樹脂製の下側ケースと、その下側ケースの前面開口部に配置され前記指示計器を密閉状態で覆う透視可能な透視板を備えた合成樹脂製の上側ケースと、によって構成されている。この種の計器装置にあっては、例えば自動車などの車両のインストルメントパネルに取り付けるために上側ケースおよび下側ケースにそれぞれ取付腕片が一体に設けられ、この取付腕片をインストルメントパネル側にビス締め固定するようにしている。
【０００３】
この際、計器装置の上側ケースと下側ケースに設けられたそれぞれの取付腕片を重ね合わせてビスによって固定保持するようにしているため、取付腕片の折損などの問題を避けることができ、取付固定強度を高めることができるという効果がある。
【０００４】
【特許文献１】特開平１０−８２６６５号公報
【発明の開示】
【発明が解決しようとする課題】
【０００５】
ところで特許文献１などに記載されている計器装置にあっては、合成樹脂製からなる上下のケースからそれぞれ一体に取付腕片を設けて重ねているため、車両の振動などが加わった場合、上側ケースの取付腕片と下側ケースの取付腕片とが擦れあって軋みなどによる異音が発生してしまうことがある。
【０００６】
この点を考慮するものとして、上側ケースと下側ケースの一方側に取付腕片を設け、この取付腕片をインストルメントパネル側にビス締め付け固定することによって擦れあうこともなく軋み音を解消することができる。
【０００７】
しかしながら、ケースの一方側に取付腕片を設け、取付固定強度を保つためには、取付腕片の肉厚寸法を増すことによって強度を維持することができるものの、樹脂成形の際に重量が増し軽量化には適していないという問題が残されている。
【０００８】
この点の問題を解消するためにケースの肉厚寸法とほぼ同じ肉厚寸法に取付腕片の肉厚寸法を設定し、その取付腕片に補強用のリブを一体に設けることにより強度を高めることが考えられるが、単にリブを一体に設けた場合、リブと取付腕片との接合する箇所ではヒケが生じてしまうことがあり、これにより取付腕片自体が変形してしまうと車両への取付位置がずれてしまいビス締め作業に支障を来す虞がある。このため、例えば変形による誤差を許容範囲内となるように取付腕片の長さを短く設定しなければならず、設計の自由度を欠いてしまうという問題を有している。
【０００９】
そこで本発明は、前述の問題点に着目し、軽量化を実現しつつ、取付腕片の自由度を増し、取付腕片の変形を抑制することが可能な計器装置を提供することを目的とする。
【課題を解決するための手段】
【００１０】
本発明は前述した課題を解決するため、請求項１では、指示計器を収納する合成樹脂製の下側ケースと、その下側ケースの前面開口部に配置され前記指示計器を覆う透視可能な透視板を備えた合成樹脂製の上側ケースと、前記下側ケースもしくは前記上側ケースの少なくとも一方のケースから一体に突出して設けられた取付腕片と、を備えてなる計器装置において、前記取付腕片は、取付腕片の横断面が立ち上がり壁と底壁とによる連続した矩形状からなることを特徴とする計器装置である。
【００１１】
このように構成することにより、取付腕片の肉厚寸法をほぼ一定に保ちながら成形することができるため、取付腕片の変形の発生を抑制することが可能となる。また、変形が抑制されることから取付腕片の長さを自由に設定することが可能となるため、取付腕片の設計自由度を増すことができる。
【００１２】
また請求項２では、請求項１に記載の計器装置において、前記取付腕片の長手方向に沿ってそれぞれが隣り合う前記立ち上がり壁同士との間隔が漸次異なるようにそれぞれ抜き勾配を設けて形成してなることを特徴とするものである。
【００１３】
このように構成することにより、ケースの成形時において、金型との抜きを良好に行うことができる。
【００１４】
また請求項３では、請求項１または請求項２に記載の計器装置において、前記立ち上がり壁部と前記底壁部の肉厚寸法を同等に成形してなることを特徴とするものである。
【００１５】
このように構成することにより、さらに成形後のヒケを抑えることができ、安定した状態にてケースと一体に取付腕片を成形することができる
【発明の効果】
【００１６】
本発明による計器装置においては、指示計器を収納する合成樹脂製の下側ケースと、その下側ケースの前面開口部に配置され前記指示計器を覆う透視可能な透視板を備えた合成樹脂製の上側ケースと、前記下側ケースもしくは前記上側ケースの少なくとも一方のケースから一体に突出して設けられた取付腕片と、を備えてなる計器装置において、前記取付腕片は、取付腕片の横断面が立ち上がり壁と底壁とによる連続した矩形状からなることを特徴とする計器装置であるため、取付腕片の肉厚寸法をほぼ一定に保ちながら成形することができるため、取付腕片の変形の発生を抑制することが可能となる。また、変形が抑制されることから取付腕片の長さを自由に設定することが可能となるため、取付腕片の設計自由度を増すことができる。
【図面の簡単な説明】
【００１７】
【図１】図１は、本発明の実施形態である計器装置を示す正面図である。
【図２】図２は、図１のＡ−Ａ線箇所を断面で表した計器装置の拡大断面図である。
【図３】図３は、図１の計器装置の取付腕片を示す要部の平面図である。
【図４】図４は、図３の取付腕片の上側からと下側からのそれぞれを示した要部斜視図である。
【図５】図５は、図３の取付腕片の表側から見た要部を示す平面図である。
【図６】図６は、図３の取付腕片の裏側から見た要部を示す平面図である。
【発明を実施するための最良の形態】
【００１８】
図１から図６は本発明の実施形態を示すもので、以下、これらに基づいて本発明の実施形態をたとえば自動車に搭載される計器装置に適用した場合について説明する。
【００１９】
同図において、本実施形態による計器装置においては、中央に速度計からなる表示器である指示計器Ｄと、左側に燃料計、右側に水温計からなるそれぞれの表示器である指示計器Ｄが配置され、指示計器Ｄのそれぞれが外装部材であるケース１内（上側ケース１１と下側ケース１２とからなる収納空間内）に組み付け固定されている。
【００２０】
この場合、速度計や燃料計、水温計などの各種情報を表示する各表示器である指示計器Ｄにあっては、合成樹脂製の枠状からなる中ケース２の背後に硬質からなる回路基板３が組み付け固定されるとともに、この回路基板３の背後側に各指示計器Ｄの一部を構成する計器本体４がそれぞれ組み付け固定されており、この各計器本体４に設けられた指針軸の先端側に、指針軸を軸芯として回転する指針５がそれぞれ圧入固定されている。
【００２１】
また指針５の背後側に位置した中ケース２の前面側には、目盛や数字や記号などからなる表示部６ａが施された表示板６が配設されている。
【００２２】
また回路基板３上には、指示計器Ｄを駆動するための駆動手段である電子部品（図示せず）が実装されるとともに、回路基板３上には、表示板６の表示部６ａを透過照明するための計器照明用の光源（ＬＥＤ）が組み付けられている。
【００２３】
また本実施形態におけるケース１は、上側ケース１１と下側ケース１２とからなり、上側ケース１１は、表示板６に設けられた表示部６ａ領域と指針５の指示状態を視認することが可能な透過性の合成樹脂材料からなる透視パネル部材１１１と、表示板６の表示領域を仕切る不透明な合成樹脂製の見返しパネル部材１１２とがそれぞれ成形によって形成されている。
【００２４】
また、下側ケース１２には、そのケース１２の上側の壁面と下側の壁面の適所から一体に取付腕片１２０が前面側に向けてそれぞれ突き出し成形されている。その取付腕片１２０の先端側には、車両のインストルメントパネルＰ側にビスＢを介して締め付け固定するための取付孔１２１が設けられている。
【００２５】
また、取付腕片１２０は、その取付腕片１２０の横断面が立ち上がり壁１２２と水平壁１２３とによる連続した矩形状からなる補強部１２４によって形成されている。
【００２６】
また本実施形態においては、取付腕片１２０の長手方向に沿ってそれぞれが隣り合う立ち上がり壁１２２同士との間隔Ｌが漸次異なるようにそれぞれ抜き勾配を設けて形成されている。この場合、図５に示すように、取付腕片１２０の表面側においては、左側に位置した底壁（低壁）となる水平壁１２３とそれぞれ隣り合う立ち上がり壁１２２同士の間隔Ｌが取付腕片１２０の先端側Ｌ１に対し、奥行き方向に行くに従い間隔Ｌ２が幅広となるように抜き勾配を設けて成形されており、このことは製品である下側ケース１２に対し成形金型の抜き方向として取付腕片１２０の先端側から奥行き方向に向けて移動するようにしている。このため、成形金型は下側ケース１２の前面側から奥行き方向に向けて良好に抜くことが可能となる。
【００２７】
これと同様にして、右側に位置した底壁（低壁）となる水平壁１２３とそれぞれ隣り合う立ち上がり壁１２２同士の間隔Ｌが取付腕片１２０の先端側Ｌ３に対し、奥行き方向に行くに従い隣り合う立ち上がり壁１２２同士の間隔Ｌ４が幅広となるように抜き勾配を設けて成形されている。このため、左側に位置した水平壁１２３とそれぞれ隣り合う立ち上がり壁１２２同士と同様に成形金型は下側ケース１２の前面側から奥行き方向に向けて良好に抜くことが可能となる〔図５参照〕。
【００２８】
また図６に示すように、その取付腕片１２０の裏面側においては、中央に位置した底壁（低壁）となる水平壁１２３とそれぞれ隣り合う立ち上がり壁１２２同士の間隔Ｌが取付腕片１２０の奥行き方向の間隔Ｌ５に対し、取付腕片１２０の先端側に向かうに連れて漸次間隔Ｌ６が広くなるように抜き勾配を設けて成形されており、このことは製品である下側ケース１２に対し成形金型の抜き方向として取付腕片１２０の奥行き方向から先端側に向けて移動することが可能に設けられるため、成形金型を良好に抜くことが可能となる。
【００２９】
また立ち上がり壁１２２と水平壁１２３とのそれぞれの肉厚寸法Ｔは、同程度の寸法にて成形しており、成形後においてヒケが生じることを未然に抑えるように形成されている〔図５や図６を参照〕。
【００３０】
なお、上側ケース１１と下側ケース１２とは、図示はしないが係合用の弾性爪部と係止用突部との係合手段によって固定保持するようにしている。
【００３１】
このように本実施形態によれば、指示計器Ｄを収納する合成樹脂製の下側ケース１２と、その下側ケース１２の前面開口部に配置され、指示計器Ｄである表示板６上に設けられた表示部６ａ領域と指針５の指示状態を視認することが可能な透過性の合成樹脂材料からなる透視パネル部材１１１と、表示板６の表示領域を仕切る不透明な合成樹脂製の見返しパネル部材１１２とからなる合成樹脂製の上側ケース１１と、下側ケース１２から一体に突出して設けられた取付腕片１２０と、を備えてなる計器装置において、取付腕片１２０は、取付腕片１２０の横断面が立ち上がり壁１２２と水平壁１２３とによる連続した矩形状からなる補強部１２４によって形成してなることを特徴とする計器装置であるため、軽量化を実現しつつ、取付腕片１２０の肉厚寸法をほぼ一定に保ちながら成形することができるため、取付腕片１２０の変形の発生を抑制することが可能となる。また、変形が抑制されることから取付腕片１２０の長さを自由に設定することが可能となるため、取付腕片１２０の設計自由度を増すことができる。
【００３２】
また本実施形態では、取付腕片１２０の長手方向に沿ってそれぞれが隣り合う立ち上がり壁１２２同士との間隔Ｌが漸次異なるようにそれぞれ抜き勾配を設けて形成してなることにより、下側ケース１２の成形時において、成形金型との抜きを良好に行うことができる。すなわち、製品である下側ケース１２に対し成形金型の抜き方向として取付腕片１２０の奥行き方向から先端側に向けて移動することができるように抜き勾配を設けているため、成形金型を良好に離脱することが可能となる。
【００３３】
また本実施形態では、補強部１２４となる立ち上がり壁１２２と水平壁１２３とのそれぞれの肉厚寸法Ｔを同程度の肉厚寸法にて成形するとともに、下側ケース１２の肉厚寸法と同等に成形してなることにより、さらに成形後のヒケを抑えることができ、安定した状態にて下側ケース１２と一体に取付腕片１２０を成形することができる
【００３４】
なお本発明は、前記実施形態に限定されるものではなく本発明の要旨の範囲内において種々の変形実施が可能であり、例えば実施形態においては、下側ケース１２に取付腕片１２０を設け、この取付腕片１２０の横断面が立ち上がり壁１２２と水平壁１２３とによる連続した矩形状からなる補強部１２４を形成して構成していたが、上側ケース１１に取付腕片を設けるようにしても同様の効果を得ることが可能である。また、補強部１２４としての立ち上がり壁１２２と水平壁１２３との肉厚寸法Ｔなどは剛性を保つための強度を考慮しながら設定すればよいものである。
【産業上の利用可能性】
【００３５】
また、前述した実施形態において詳述したように、自動車などの車両用の計器装置を例にして説明したが、車両用計器に限らず船舶用計器あるいは農業用機械や建設機械などの特殊車両の計器装置などにおいても適用することが可能である。
【符号の説明】
【００３６】
Ｂ    ビス
Ｄ    指示計器
Ｌ    間隔
Ｐ    インストルメントパネル
Ｔ    肉厚寸法
１    ケース
２    中ケース
３    回路基板
４    計器本体
５    指針
６    表示板
６ａ  表示部
１１    上側ケース
１２    下側ケース
１１１    透視パネル部材
１１２    見返しパネル部材
１２０    取付腕片
１２１    取付孔
１２２    立ち上がり壁
１２３    水平壁（底壁）
１２４    補強部
【図１】
0005392569.tif 000002
【図２】
0005392569.tif 000003
【図３】
0005392569.tif 000004
【図４】
0005392569.tif 000005
【図５】
0005392569.tif 000006
【図６】
0005392569.tif 000007